(57)【要約】      （修正有）【課題】使用済みメディア収納ケースの処分に際して、プラスチック製のメディアトレイを台紙側から引き剥がした時に、プラスチック製メディアトレイの接着部分に、紙片等のゴミが付着したまま残らないように工夫したデジタル記録メディア用収納ケースを提供する。【解決手段】接着剤ＰＴを用いて台紙１０側に接着されたプラスチック製のディスク用トレイ１又はカード用トレイの各接着部分１Ｚの近辺に、当該ディスク用トレイ又はカード用トレイを台紙１０から引き剥がす際に、上記ディスク用トレイ又はカード用トレイの接着部分を台紙１０側に残した状態に破断される破断構造部を設けることにより、プラスチック製のトレイ又はカード用トレイの接着部分に、紙片等のゴミが付着したまま残らないようにする。【選択図】図４
2010173663.tif 000002
【特許請求の範囲】
【請求項１】
台紙の上面に、ＣＤやＤＶＤ、或いは、メモリカードといった各種のデジタル記録メディアを嵌め込んで収納することができるプラスチック製のメディアトレイを接着して構成したデジタル記録メディア用収納ケースであって、 
上記プラスチック製メディアトレイの底面側複数箇所を、上記台紙の上面に対して接着剤を用いてスポット状に接着すると共に、 
上記スポット状に接着される上記プラスチック製メディアトレイの各接着部分の近辺に夫々破断構造部を設けて、上記プラスチック製メディアトレイを上記台紙の内側面より引き剥がした際に、上記各破断構造部が破断されて、上記スポット状に接着された上記プラスチック製メディアトレイ側の各接着部分が、上記台紙の内側面に残った状態でプラスチック製メディアトレイが引き剥がされることを特徴とするデジタル記録メディア用収納ケース。 
【請求項２】
前記台紙の上面に対してスポット状に接着されるプラスチック製メディアトレイの各接着部分と破断構造部が、当該プラスチック製メディアトレイのメディア収容室の外周縁に外向きに形成された複数のメディア取出し用指掛け溝の各底面部に設けられていることを特徴とする請求項１に記載のデジタル記録メディア用収納ケース。 
【請求項３】
前記台紙の上面に対してスポット状に接着されるプラスチック製メディアトレイの各接着部分と破断構造部が、当該プラスチック製メディアトレイのメディア収容室の外周縁に外向きに形成された複数のメディア取出し用指掛け溝の各底面部以外の底面部分、又は、当該底面部分と上記メディア取出し用指掛け溝の底面部との双方に設けられていることを特徴とする請求項１又は２に記載のデジタル記録メディア用収納ケース。 
【請求項４】
前記台紙の上面に対してスポット状に接着されるプラスチック製メディアトレイの各接着部分と破断構造部が、当該プラスチック製メディアトレイの底面に突設されている複数本の接着用凹状突子の各底面部に設けられていることを特徴とする請求項１に記載のデジタル記録メディア用収納ケース。 
【請求項５】
前記接着部分が設けられる前記メディア取出し用指掛け溝、又は、前記接着用凹状突子の底面部の素材の肉厚が、前記引き剥がしによる破断構造部の破断が容易に行なえるように薄く造られていることを特徴とする請求項１、２、３又は４に記載のデジタル記録メディア用収納ケース。 
【請求項６】
前記破断構造部が、夫々のスポット状接着部分の外側又は外周部を囲むように円形又は角形に設けたミシン目状切断線によって構成されていることを特徴とする請求項１、２、３、４又は５に記載のデジタル記録メディア用収納ケース。 
【請求項７】
前記破断構造部が、夫々のスポット状接着部分の外側又は外周部を囲むように円形状又は角形状に設けた複数本の切り込み線によって構成されていることを特徴とする請求項１、２、３、４又は５に記載のデジタル記録メディア用収納ケース。 
【請求項８】
前記破断構造部が、夫々のスポット状接着部分の外側又は外周部を囲むように円形状又は角形状に設けた多数の小穴によって構成されていることを特徴とする請求項１、２、３、４又は５に記載のデジタル記録メディア用収納ケース。 
【請求項９】
前記台紙の上面に接着されるプラスチック製メディアトレイの外側縁に、引き剥がし用の指掛け凹部を設けたことを特徴とする請求項１、２、３、４、５、６、７又は８に記載のデジタル記録メディア用収納ケース。 
【発明の詳細な説明】
【技術分野】
【０００１】
本発明は、ＣＤやＤＶＤ、或いは、メモリカード（マネーカード）といった各種の情報記憶媒体（以下単にデジタル記録メディアという）を収納することができるデジタル記録メディア用収納ケースに関するものである。 
【背景技術】
【０００２】
従来の一般的なデジタル記録メディア用収納ケースは、例えば特許文献１に記載されているように、全体をプラスチックで造った開閉蓋付きのケース体を使用していたが、最近では、メディアの内容等を説明した解説文や宣伝文、或いは、装飾用の写真や絵柄等を収納ケースに直接印刷するために、例えば特許文献２に示すように、印刷可能な板紙で造った台紙にプラスチック製メディアトレイを接着した構造のデジタル記録メディア用収納ケースが多く使用されている。 
【先行技術文献】
【特許文献】
【０００３】
【特許文献１】特開昭５８−１５５８３号公報
【特許文献２】実用新案登録第３０７７６７６号公報
【発明の概要】
【発明が解決しようとする課題】
【０００４】
一方、資源のリサイクルが叫ばれている昨今では、不要になったメディア収納ケースを廃棄処分する際に、台紙からプラスチック製メディアトレイを引き剥がすことによって、これをリサイクルに廻すことが行われている。 
【０００５】
しかし、図１０に示すように、プラスチック製メディアトレイＴＲを台紙ＣＫの内側面ＣＴより手で引き剥がした場合に、台紙ＣＫの内側面ＣＴの接着部分が引き剥がされて、その破れた跡ＣＶ…が台紙ＣＫ側に残ると共に、プラスチック製メディアトレイＴＲの裏面接着部分には、破り取られた台紙ＣＫ側の紙片ＣＷ…や、コーティングされていたビニール片等がゴミとなって付着したまま残ってしまうため、引き剥がしたプラスチック製メディアトレイＴＲをそのままリサイクルに廻すことができず、この付着した紙片ＣＷ…等のゴミを取り除くために極めて面倒な除去作業を必要としていた。 
【０００６】
また、プラスチック製メディアトレイＴＲは、極めて強力な接着剤を用いて台紙ＣＫ側に接着されているため、付着している紙片ＣＷ…等を完全に除去しずらいことから、回収したプラスチック製メディアトレイＴＲをそのままリサイクルに廻すことができない煩わしさがあったり、付着した紙片ＣＷ…等が残ることが原因でこれが不純物になって、リサイクル製品に不純物混入の問題を引き起こす場合もあって、プラスチック製メディアトレイＴＲのリサイクル率に悪影響を及ぼす問題があった。 
【０００７】
そこで本発明の技術的課題は、使用済みメディア収納ケースの処分に際して、プラスチック製のメディアトレイを台紙側から引き剥がした時に、プラスチック製メディアトレイの接着部分に、紙片等のゴミが付着したまま残らないように工夫したデジタル記録メディア用収納ケースを提供することである。 
【課題を解決するための手段】
【０００８】
（１）  上記の技術的課題を解決するために、本発明の前記請求項１に係るデジタル記録メディア用収納ケースは、台紙の上面に、ＣＤやＤＶＤ、或いは、メモリカードといった各種のデジタル記録メディアを嵌め込んで収納することができるプラスチック製のメディアトレイを接着して構成したデジタル記録メディア用収納ケースであって、上記プラスチック製メディアトレイの底面側複数箇所を、上記台紙の上面に対して接着剤を用いてスポット状に接着すると共に、上記スポット状に接着される上記プラスチック製メディアトレイの各接着部分の近辺に夫々破断構造部を設けて、上記プラスチック製メディアトレイを上記台紙の内側面より引き剥がした際に、上記各破断構造部が破断されて、上記スポット状に接着された上記プラスチック製メディアトレイ側の各接着部分が、上記台紙の内側面に残った状態でプラスチック製メディアトレイが引き剥がされることを特徴としている。 
【０００９】
（２）  また、本発明の前記請求項２に係るデジタル記録メディア用収納ケースは、前記台紙の上面に対してスポット状に接着されるプラスチック製メディアトレイの各接着部分と破断構造部が、当該プラスチック製メディアトレイのメディア収容室の外周縁に外向きに形成された複数のメディア取出し用指掛け溝の各底面部に設けられていることを特徴としている。 
【００１０】
（３）  また、本発明の前記請求項３に係るデジタル記録メディア用収納ケースは、前記台紙の上面に対してスポット状に接着されるプラスチック製メディアトレイの各接着部分と破断構造部が、当該プラスチック製メディアトレイのメディア収容室の外周縁に外向きに形成された複数のメディア取出し用指掛け溝の各底面部以外の底面部分、又は、当該底面部分と上記メディア取出し用指掛け溝の底面部との双方に設けられていることを特徴としている。 
【００１１】
（４）  また、本発明の前記請求項４に係るデジタル記録メディア用収納ケースは、前記台紙の上面に対してスポット状に接着されるプラスチック製メディアトレイの各接着部分と破断構造部が、当該プラスチック製メディアトレイの底面に突設されている複数本の接着用凹状突子の各底面部に設けられていることを特徴としている。 
【００１２】
（５）  また、本発明の前記請求項５に係るデジタル記録メディア用収納ケースは、前記接着部分が設けられる前記メディア取出し用指掛け溝、又は、前記接着用凹状突子の底面部の素材の肉厚が、前記引き剥がしによる破断構造部の破断が容易に行なえるように薄く造られていることを特徴としている。 
【００１３】
（６）  また、本発明の前記請求項６に係るデジタル記録メディア用収納ケースは、前記破断構造部が、夫々のスポット状接着部分の外側又は外周部を囲むように円形又は角形に設けたミシン目状切断線によって構成されていることを特徴としている。 
【００１４】
（７）  また、本発明の前記請求項７に係るデジタル記録メディア用収納ケースは、前記破断構造部が、夫々のスポット状接着部分の外側又は外周部を囲むように円形状又は角形状に設けた複数本の切り込み線によって構成されていることを特徴としている。 
【００１５】
（８）  また、本発明の前記請求項８に係るメディア収納ケースは、前記破断構造部が、夫々のスポット状接着部分の外側又は外周部を囲むように円形状又は角形状に設けた多数の小穴によって構成されていることを特徴としている。 
【００１６】
（９）  更に、本発明の前記請求項９に係るデジタル記録メディア用収納ケースは、前記台紙の上面に接着されるプラスチック製メディアトレイの外側縁に、引き剥がし用の指掛け凹部を設けたことを特徴としている。 
【００１７】
上記（１）と（４）で述べた請求項１と４に係る各手段によれば、使用済みメディア収納ケースのプラスチック製メディアトレイに手を掛けてこれを台紙側から引き剥がすと、破断構造部が切断されて、スポット状に接着されたプラスチック製メディアトレイ側の接着部分が台紙側に接着されたまま残るため、引き剥がしたプラスチック製メディアトレイ側に台紙側の紙やビニールフィルム片等が付着したままに成ることがなく、プラスチック製メディアトレイをそのままリサイクルに廻すことができる。 
【００１８】
上記（２）又は（３）で述べた請求項２と３に係る手段によれば、上記引き剥がしによって破断される破断構造部が、プラスチック製メディアトレイに設けられているメディア取出し用指掛け溝の底面部に設けられているため、例えば金型の加工といった各種製造面でのメリットが高くて、従来の製造費と殆ど同じ金額にてリサイクルに適したデジタル記録メディア用収納ケースを製造することを可能にする。 
【００１９】
上記（５）、（６）、（７）、（８）に記載した請求項５、６、７、８に係る各手段によれば、比較的少ない力で各破断構造部を破断して、プラスチック製メディアトレイを台紙側より簡単に、且つ、確実に引き剥がすことができるディスク収納ケースを提供できるものであって、メディア収納ケースのリサイクルに廻す割合を高めて、資源の再利用化を促進することができる。 
【００２０】
上記（９）に記載した請求項９に係る手段によれば、上記請求項１〜８に記載の各破断構造部の構成と相俟って、指掛け凹部に指をかけて、極めて容易に且つ確実にプラスチック製メディアクトレイを台紙側より引き剥がすことを可能にする。 
【発明の効果】
【００２１】
以上述べた次第で、本発明に係るデジタル記録メディア用収納ケースによれば、接着部分に接着されている紙片等のゴミを引き剥がしたり、薬剤や洗浄剤等で洗い落としたりする必要が全く無く、台紙から引き剥がすだけで、そのままディスク用又はカード用のプラスチック製メディアトレイを、プラスチック廃材としてリサイクルに廻すことができる利点を有するものであって、従来使用していた製造用金型に各種破断構造部の加工を若干加えるだけで、極めて容易に、且つ、安価にて実施できる経済性を備えると点と相俟って、ＣＤやＤＶＤ、或いは、メモリカードといった各種のデジタル記録メディア用の収納ケースに使用して、頗る好適なものである。 
【図面の簡単な説明】
【００２２】
【図１】プラスチック製ディスク用トレイを台紙に接着する前の状態を示した斜視図。
【図２】プラスチック製ディスク用トレイを台紙に接着して構成した本発明に係るデジタル記録メディア用収納ケースの全体を示した斜視図。
【図３】本発明の要部を拡大して示した平面図。
【図４】台紙からプラスチック製ディスク用トレイを引き剥がした状態を示した本発明に係るデジタル記録メディア用収納ケースの斜視図。
【図５】（Ａ）は図３のＸ−Ｘ線に沿った拡大断面図、（Ｂ）はプラスチック製ディスク用トレイを引き剥がしている状態を示した拡大断面図。
【図６】プラスチック製カード用トレイを台紙に接着する前の状態を示した分解斜視図。
【図７】プラスチック製カード用トレイを台紙に接着して構成した本発明に係るデジタル記録メディア用収納ケースの全体を示した斜視図。
【図８】接着用凹状突子の拡大断面図。
【図９】（Ａ）、（Ｂ）、（Ｃ）は破断構造部の実施例を示した斜視図。
【図１０】従来例の構成を説明した斜視図。
【発明を実施するための最良の形態】
【００２３】
以下に、上述した本発明に係るデジタル記録メディア用収納ケースの実施の形態を図面と共に説明すると、図１はディスク用のプラスチック製メディアトレイ１（以下単にディスク用トレイ１と略称する）を、台紙１０に接着する前の状態を示した斜視図、図２はディスク用トレイ１を台紙１０に接着して構成した本発明に係るデジタル記録メディア用収納ケースの全体を示した斜視図であって、これ等の図面において、全体をプラスチック材を用いて一体加工されたディスク用トレイ１の上面には、ＣＤやＤＶＤ等のディスク形メディア（図示省略）を嵌合自在に構成した円形凹型形状のディスク収容室１Ｈが設けられている。３はディスク収容室１Ｈの中央に凸設したセンターボス、２…はディスク収容室１Ｈの外周縁部分の四方４箇所に凹設した平面視形状が指型を成し、断面形状が略Ｕ字形状を成す、ディスク取出し用の指掛け溝を示す。 
【００２４】
台紙１０は、例えば、板紙の表面にビニール製の薄膜をコーティングした素材を用いて構成されていて、背板１２の左右両側にオモテ表紙１３とウラ表紙１１を開閉自在（屈曲自在）に連設した構成に成っており、ウラ表紙１１の内側面が上記ディスク用トレイ１の取付け面に成っている。 
【００２５】
また、ＰＴ…は上記ウラ表紙１１の内側面の四隅にスポット状に設けられる接着部としての接着剤で、上記のディスク用トレイ１は上記４箇所に設けた指掛け溝２…の各底面部が、上記各接着剤ＰＴ…によってウラ表紙１１の内側面に接着されて、上記ウラ表紙１１の内側面に固着される仕組みに成っている。 
【００２６】
図３は、上記ウラ表紙１１の内側面に接着固定されたディスク用トレイ１を拡大して示した平面図、図４はウラ表紙１１の内側面からディスク用トレイ１を引き剥がした状態を示した斜視図、図５（Ａ）は図３のＸ−Ｘ線に沿った拡大断面図で、図５（Ｂ）は図５（Ａ）の状態からディスク用トレイ１をウラ表紙１１の内側面より上側に若干引き剥がした状態を示した拡大断面図であって、これ等の図面において符号５で全体的に示したのは、前記各接着剤ＰＴ…によって前記ウラ表紙１１の内側面側に接着固定されているディスク用トレイ１側の接着部分としての破断部１Ｚ…を囲むように、ディスクト用レイ１における上記各指掛け溝２の底面部分、又は、当該指掛け溝２以外の他の底面部分、或いは、これ等指掛け溝２と他の底面部分の双方（図示省略）に設けた破断構造部を示す。 
【００２７】
上記の破断構造部５は、ディスク用トレイ１の一側縁に設けた指掛け凹部１Ｇに指を掛けて、図４並びに図５（Ｂ）に示すようにディスク用トレイ１をウラ表紙１１の内側面から引き剥がした時に、その力によって上記接着部分としての破断部１Ｚ…をウラ表紙１１の接着剤ＰＴ側に残した状態で破断されて、ディスク用トレイ１の引き剥がしを可能にするものであって、図中１Ｖは上記破断部１Ｚの破断によってディスク用トレイ１側に生じた破断穴であり、図５に示した第１実施例では、上述した破断構造部５として、上記ディスク用トレイ１の指掛け溝２の底面部が、他の部分より肉薄構造に造られている。 
【００２８】
図６は、例えばメモリカードＣＫ（マネーカード）のようなカード用のプラスチック製メディアトレイ１Ａ（以下単にカード用トレイ１Ａと略称する）を、台紙１０に接着する前の状態を示した分解斜視図、図７はカード用トレイ１Ａを台紙１０に接着して構成した本発明に係るデジタル記録メディア用収納ケース（カード用ケース）の全体を示した斜視図であって、これ等の図面において、全体をプラスチック材を用いて一体加工されたカード用トレイ１Ａの上面には、メモリカードＣＫ等のカード形メディアを嵌め込み自在に構成した角型形状のカード収容室１Ｗが凹設されている。 
【００２９】
台紙１０は、例えば、板紙の表面にビニール製の薄膜をコーティングした素材を用いて構成されていて、背板１２の左右両側にオモテ表紙１３とウラ表紙１１を開閉自在（屈曲自在）に連設した構成に成っており、ウラ表紙１１の内側面が上記カード用トレイ１Ａの取付け面に成っている。 
【００３０】
図６と図７において夫々符号１Ｐで全体的に示したのは、上記カード用トレイ１Ａの四隅に、底面方向に向けて断面略円筒体形状に突設した接着用凹状突子であって、図８はその拡大断面図である。この４本の接着用凹状突子１Ｐ…は、カード用トレイ１Ａのプラスチック成形時に、図示の如く夫々下端部に破断構造部５を備えた底板となる破断部１Ｚを有する円筒形状体１Ｘに一体成形される仕組みに成っている。 
【００３１】
以上の如く構成されたカード用トレイ１Ａは、上記４箇所設けた接着用凹状突子１Ｐ…の底板、即ち、各破断部１Ｚ…を、上記ウラ表紙１１の内側面の四隅にスポット状に設けられた接着部としての接着剤ＰＴ…の部分に接着させることにより、ウラ表紙１１の内側面に接着、固定される仕組みに成っている。 
【００３２】
この様に台紙１０のウラ表紙１１の内側面に接着、固定されたカード用トレイ１Ａのカード収納室１Ｗに、図示の如くメモリカードＣＫ等のカード型メディアを嵌め込んだ後、その上面に上蓋２０を被せると共に、係止部２１…をカード収納室１Ｗの縁に設けた係合部１Ｋ…に係合させることにより、メモリカードＣＫ等を台紙１０でカバーされたカード用トレイ１Ａの内部に収納して、プレゼント等に供することができるものであって、台紙１０とカード用トレイ１Ａ並びに上蓋２０に各種の意匠を施すことにより、カード型メディアの価値を高めることができる。 
【００３３】
また、上記の如く構成した各接着用凹状突子１Ｐ…の底板となる破断部１Ｚ、又は、その他の底面部分に設けた破断構造部５は、カード用トレイ１Ａの一側縁に設けた指掛け凹部１Ｇに指を掛けてカード用トレイ１Ａをウラ表紙１１の内側面から引き剥がした時に、その力によって上記接着部分としての破断部１Ｚ…をウラ表紙１１の接着剤ＰＴ側に残した状態で破断されて、カード用トレイ１Ａの引き剥がしを可能にするものであって、図８に示した実施例では、前述した図５で説明した実施例と同様に、上述した破断構造部５として、上記カード用トレイ１Ａの各接着用凹状突子１Ｐ（円筒形状体１Ｘ）の底面部が、他の部分より肉薄構造に造られている。 
【００３４】
また、図９（Ａ）は上記図５と図８で示した破断部１Ｚの周囲又は周辺部を、ミシン目状の切断線５Ａで囲った上記破断構造部５の第２実施例を示し、図９（Ｂ）は上記破断部１Ｚの周囲又は周辺部を複数本の切り込み線５Ｂ…にて囲った上記破断構造部５の第３実施例を示し、更に、図９（Ｃ）は上記破断部１Ｚの周囲又は周辺部を多数の小穴５Ｃ…にて囲った上記破断構造部５の第４実施例を示したものであって、いずれの破断構造部５Ｋ、５Ａ、５Ｂ、５Ｃも、ディスク用トレイ１又はカード用トレイ１Ａの引き剥がし時に接着部分としての破断部１Ｚ…をウラ表紙１１の接着剤ＰＴ…側に残した状態で破断されて、ディスク用トレイ１又はカード用トレイ１Ａの引き剥がしを可能にする仕組みに成っている。 
【００３５】
尚、図３乃至図６と図８に示した実施例では、いずれも接着剤ＰＴの径（面積）が、破断される破断部１Ｚの径（面積）よりも大きく形成されているが、これは本発明の技術内容をより容易に理解可能にするためのものであって、実際の接着剤ＰＴの面積は破断部１Ｚの面積と同じか、それよりも小さく構成されていて、ディスク用トレイ１に対する無駄な接着を防止している。 
【００３６】
以上述べた次第で、本発明に係るディスク収納ケースによれば、指掛け凹部１Ｇに指を掛けてディスク用トレイ１又はカード用トレイ１Ａを引っ張ると、今迄ディスク用トレイ１又はカード用トレイ１Ａを接着固定していた接着部分としての破断部１Ｚ…が破断されて、破断部１Ｚ…を台紙１０側に残した状態でディスク等トレイ１又はカード用トレイ１Ａが引き剥がされるため、引き剥がしたディスク用トレイ１又はカード用トレイ１Ａ側に台紙１０の紙片等が付着した状態のままになることがなく、ディスク用トレイ１又はカード用トレイ１Ａをプラスチック廃材としてそのままリサイクルに廻すことを可能にする利点を備えている。 
【符号の説明】
【００３７】
１            プラスチック製ディスク用トレイ 
１Ａ          プラスチック製カード用トレイ 
１Ｈ          ディスク収容室 
１Ｇ          指掛け凹部 
１Ｚ          接着部分としての破断部 
１Ｖ          破断穴 
ＣＫ          メモリカード 
１Ｗ          カード収納室 
１Ｐ          接着用凹状突子 
１Ｘ          円筒形状体 
２            指掛け溝 
５            破断構造部 
５Ｋ          肉薄部 
５Ａ          ミシン目 
５Ｂ          切り込み 
５Ｃ          小穴 
ＰＴ          接着剤 
１０          台紙 
１１          ウラ表紙 
１２          背板 
１３          オモテ表紙 
【図１】
2010173663.tif 000003
【図２】
2010173663.tif 000004
【図３】
2010173663.tif 000005
【図４】
2010173663.tif 000006
【図５】
2010173663.tif 000007
【図６】
2010173663.tif 000008
【図７】
2010173663.tif 000009
【図８】
2010173663.tif 000010
【図９】
2010173663.tif 000011
【図１０】
2010173663.tif 000012